(57)【特許請求の範囲】
【請求項１】
映像を示す映像情報と、前記映像の輝度に関する輝度関連情報とを受信する受信部と、
前記輝度関連情報に基づいて、前記映像における拡大対象輝度レンジを決定し、当該拡大対象輝度レンジにおける最大輝度が高くなるように当該拡大対象輝度レンジを拡大する映像処理部と、
を含み、
前記輝度関連情報は、前記映像を構成する各フレームの平均輝度のうち最大の平均輝度を示す最大平均輝度情報である
ことを特徴とする映像処理装置。
【請求項２】
映像を示す映像情報と、前記映像の輝度に関する輝度関連情報とを受信する受信部と、
前記輝度関連情報に基づいて、前記映像における拡大対象輝度レンジを決定し、当該拡大対象輝度レンジにおける最大輝度が高くなるように当該拡大対象輝度レンジを拡大する映像処理部と、
を含み、
前記受信部は、複数種類の前記輝度関連情報を受信し、
前記映像処理部は、前記輝度関連情報ごとに前記拡大対象輝度レンジを決定し、前記輝度関連情報ごとの拡大対象輝度レンジのうち最大輝度が低い方の拡大対象輝度レンジを当該最大輝度が低い方の拡大対象輝度レンジにおける最大輝度が高くなるように拡大する、
ことを特徴とする映像処理装置。
【請求項３】
映像を示す映像情報と、前記映像の輝度に関する輝度関連情報とを受信する受信部と、
前記輝度関連情報に基づいて、前記映像における拡大対象輝度レンジを決定し、当該拡大対象輝度レンジにおける最大輝度が高くなるように当該拡大対象輝度レンジを拡大する映像処理部と、
を含み、
前記受信部は、複数種類の前記輝度関連情報を受信し、
前記映像処理部は、前記輝度関連情報ごとに前記拡大対象輝度レンジを決定し、前記輝度関連情報ごとの拡大対象輝度レンジのうち最大輝度が高い方の拡大対象輝度レンジを当該最大輝度が高い方の拡大対象輝度レンジにおける最大輝度が高くなるように拡大する、
ことを特徴とする映像処理装置。
【請求項４】
前記複数種類の輝度関連情報は、前記映像の最大輝度を示す最大輝度情報と、前記映像を構成する各フレームの平均輝度のうち最大の平均輝度を示す最大平均輝度情報と、であることを特徴とする請求項２または３に記載の映像処理装置。
【請求項５】
前記複数種類の輝度関連情報は、前記映像の最大輝度を示す最大輝度情報と、前記映像を構成する各フレームの平均輝度のうち最大の平均輝度を示す最大平均輝度情報と、前記映像の編集時に使用された表示装置の最大輝度を示す編集時最大輝度情報と、であることを特徴とする請求項２または３に記載の映像処理装置。
【請求項６】
映像を示す映像情報と、前記映像の輝度に関する輝度関連情報とを受信する受信部と、
前記輝度関連情報に基づいて、前記映像における拡大対象輝度レンジを決定し、当該拡大対象輝度レンジにおける最大輝度が高くなるように当該拡大対象輝度レンジを拡大する映像処理部と、
を含み、
前記受信部は、複数種類の前記輝度関連情報を受信可能であり、
前記複数種類の輝度関連情報は、前記映像の最大輝度を示す最大輝度情報と、前記映像を構成する各フレームの平均輝度のうち最大の平均輝度を示す最大平均輝度情報と、前記映像の編集時に使用された表示装置の最大輝度を示す編集時最大輝度情報と、を含み、
前記映像処理部は、
前記受信部が前記最大輝度情報と前記最大平均輝度情報とのうち少なくともいずれか一方を受信した場合には、前記一方に基づいて前記拡大対象輝度レンジを決定し、
前記受信部が前記最大輝度情報と前記最大平均輝度情報とのいずれも受信せずに前記編集時最大輝度情報を受信した場合には、前記編集時最大輝度情報に基づいて前記拡大対象輝度レンジを決定する、
ことを特徴とする映像処理装置。
【請求項７】
前記映像処理部は、前記受信部が前記輝度関連情報を受信することなく前記映像情報を受信した場合、前記映像における予め定められた輝度レンジを前記拡大対象輝度レンジとして決定することを特徴とする請求項１から６のいずれか１項に記載の映像処理装置。
【請求項８】
請求項１から７のいずれか１項に記載の映像処理装置と、
前記拡大対象輝度レンジが拡大された前記映像情報に応じた映像を表示する表示部と、
を含むことを特徴とする表示装置。
【請求項９】
映像を示す映像情報と、前記映像の輝度に関する輝度関連情報と、を受信し、
前記輝度関連情報に基づいて前記映像における拡大対象輝度レンジを決定し、当該拡大対象輝度レンジにおける最大輝度が高くなるように当該拡大対象輝度レンジを拡大することを含み、
前記輝度関連情報は、前記映像を構成する各フレームの平均輝度のうち最大の平均輝度を示す最大平均輝度情報である
ことを特徴とする映像処理方法。
【請求項１０】
映像を示す映像情報と、前記映像の輝度に関する輝度関連情報と、を受信し、
前記輝度関連情報に基づいて前記映像における拡大対象輝度レンジを決定し、当該拡大対象輝度レンジにおける最大輝度が高くなるように当該拡大対象輝度レンジを拡大することを含み、
複数種類の前記輝度関連情報を受信し、
前記輝度関連情報ごとに前記拡大対象輝度レンジを決定し、前記輝度関連情報ごとの拡大対象輝度レンジのうち最大輝度が低い方の拡大対象輝度レンジを当該最大輝度が低い方の拡大対象輝度レンジにおける最大輝度が高くなるように拡大する、
ことを特徴とする映像処理方法。
【請求項１１】
映像を示す映像情報と、前記映像の輝度に関する輝度関連情報と、を受信し、
前記輝度関連情報に基づいて前記映像における拡大対象輝度レンジを決定し、当該拡大対象輝度レンジにおける最大輝度が高くなるように当該拡大対象輝度レンジを拡大することを含み、
複数種類の前記輝度関連情報を受信し、
前記輝度関連情報ごとに前記拡大対象輝度レンジを決定し、前記輝度関連情報ごとの拡大対象輝度レンジのうち最大輝度が高い方の拡大対象輝度レンジを当該最大輝度が高い方の拡大対象輝度レンジにおける最大輝度が高くなるように拡大する、
ことを特徴とする映像処理方法。
【請求項１２】
映像を示す映像情報と、前記映像の輝度に関する輝度関連情報と、を受信し、
前記輝度関連情報に基づいて前記映像における拡大対象輝度レンジを決定し、当該拡大対象輝度レンジにおける最大輝度が高くなるように当該拡大対象輝度レンジを拡大することを含み、
複数種類の前記輝度関連情報を受信可能であり、
前記複数種類の輝度関連情報は、前記映像の最大輝度を示す最大輝度情報と、前記映像を構成する各フレームの平均輝度のうち最大の平均輝度を示す最大平均輝度情報と、前記映像の編集時に使用された表示装置の最大輝度を示す編集時最大輝度情報と、を含み、
前記最大輝度情報と前記最大平均輝度情報とのうち少なくともいずれか一方を受信した場合には、前記一方に基づいて前記拡大対象輝度レンジを決定し、
前記最大輝度情報と前記最大平均輝度情報とのいずれも受信せずに前記編集時最大輝度情報を受信した場合には、前記編集時最大輝度情報に基づいて前記拡大対象輝度レンジを決定する、
ことを特徴とする映像処理方法。
【発明の詳細な説明】
【技術分野】
【０００１】
本発明は、映像処理装置、表示装置および映像処理方法に関する。
【背景技術】
【０００２】
映像に関する新たな方式として、ＨＤＲ（High Dynamic Range）方式が知られている（特許文献１参照）。ＨＤＲ方式では、最大輝度として１００００nitが規定されている。なお、１nitは１cd/m2である。
【先行技術文献】
【特許文献】
【０００３】
【特許文献１】特開２０１６−３４１２５号公報
【発明の概要】
【発明が解決しようとする課題】
【０００４】
ＨＤＲ方式に対応したＨＤＲ表示装置では、表示の明るさレンジが、ＨＤＲ方式に対応したＨＤＲ映像情報の取り得る輝度レンジ（具体的には、０〜１００００nitの輝度レンジ）に対応している。例えば、ＨＤＲ表示装置は、ＨＤＲ映像情報の示す映像のうち輝度が１００００nitである映像部分を、最も明るい白色（表示の明るさレンジの中で最も明るい部分）で表示する。
【０００５】
ところで、すべてのＨＤＲ映像情報が、１００００nitの輝度を有する映像を示すわけではない。例えば、ＵＨＤ−ＢＤ（Ultra High Definition − Blu-ray（登録商標） Disc）の規格では、最大輝度が１０００nit以下と制限されている。
このため、ＨＤＲ表示装置に、最大輝度が１００００nitに満たない映像を示すＨＤＲ映像情報が入力された場合、ＨＤＲ表示装置の明るさレンジのうち、ＨＤＲ映像情報の最大輝度から１００００nitまでの輝度レンジに対応する明るさレンジ部分は使用されず、暗く、コントラストの低い映像が表示されてしまうという問題が生じる。
【０００６】
本発明は上述した事情に鑑みてなされたものであり、映像情報の示す映像が明るくなるように該映像の輝度レンジを広げる技術を提供することを解決課題とする。
【課題を解決するための手段】
【０００７】
本発明の映像処理装置の一態様は、映像を示す映像情報と、前記映像の輝度に関する輝度関連情報とを受信する受信部と、前記輝度関連情報に基づいて、前記映像における拡大対象輝度レンジを決定し、当該拡大対象輝度レンジにおける最大輝度が高くなるように当該拡大対象輝度レンジを拡大する映像処理部と、を含むことを特徴とする。
この態様によれば、映像の拡大対象輝度レンジにおける最大輝度が高くなるように、拡大対象輝度レンジを拡大するので、映像の輝度レンジを拡大しない場合に比べて、映像を明るくでき、かつコントラストを高くできる。また、輝度関連情報に基づいて拡大対象輝度レンジを決定するので、例えば、映像の輝度に応じて拡大対象輝度レンジを決定することが可能になる。
【０００８】
上述した映像処理装置の一態様において、前記映像処理部は、前記拡大対象輝度レンジにおける最大輝度が、当該最大輝度よりも高い予め定められた目標最大輝度になるように、前記拡大対象輝度レンジを拡大することが望ましい。
この態様によれば、拡大対象輝度レンジにおける最大輝度が、その最大輝度よりも高い予め定められた目標最大輝度に変換されるので、拡大後の輝度レンジの最大輝度を固定値の目標最大輝度に合わせることができる。よって、例えば、拡大対象輝度レンジの拡大された映像情報が表示部に入力される場合に、目標最大輝度を、その表示部が対応可能な輝度レンジの最大値に設定すれば、映像の中で最も輝度の高い映像部分を、表示部の表示の明るさレンジのうち最も明るい部分で表示できる。このため、映像を可及的に明るくできる。
【０００９】
上述した映像処理装置の一態様において、前記映像処理部は、前記輝度関連情報が示す輝度が低いほど、前記拡大対象輝度レンジにおける最大輝度を低くすることが望ましい。
この態様によれば、輝度関連情報が示す輝度が低いほど、拡大対象輝度レンジにおける最大輝度が低くなり、その最大輝度は予め定められた目標最大輝度に変換される。このため、輝度関連情報が示す輝度が低いほど、拡大対象輝度レンジにおける最大輝度を明るくする度合いを大きくできる。
【００１０】
上述した映像処理装置の一態様において、前記輝度関連情報は、前記映像の最大輝度を示す最大輝度情報であることが望ましい。
この態様によれば、映像の最大輝度に応じて拡大対象輝度レンジを決定可能になる。なお、ＨＤＭＩ（High-Definition Multimedia Interface：（登録商標））規格では、最大輝度情報がInfoフレームに記載されることになる。このため、受信部は、ＨＤＭＩ規格に対応したInfoフレームを受信することで最大輝度情報を容易に受信できる。
【００１１】
上述した映像処理装置の一態様において、前記輝度関連情報は、前記映像を構成する各フレームの平均輝度のうち最大の平均輝度を示す最大平均輝度情報であることが望ましい。
この態様によれば、映像を構成する各フレームの平均輝度のうち最大の平均輝度に応じて拡大対象輝度レンジを決定できる。なお、ＨＤＭＩ規格では、最大平均輝度情報がInfoフレームに記載されることになる。このため、受信部は、ＨＤＭＩ規格に対応したInfoフレームを受信することで最大平均輝度情報を容易に受信できる。
【００１２】
上述した映像処理装置の一態様において、前記輝度関連情報は、前記映像の編集時に使用された表示装置の最大輝度を示す編集時最大輝度情報であることが望ましい。
この態様によれば、映像の編集時に使用された表示装置の最大輝度に応じて拡大対象輝度レンジを決定可能になる。なお、ＨＤＭＩ規格では、編集時最大輝度情報がInfoフレームに記載されることになる。このため、受信部は、ＨＤＭＩ規格に対応したInfoフレームを受信することで編集時最大輝度情報を容易に受信できる。
【００１３】
上述した映像処理装置の一態様において、前記受信部は、複数種類の前記輝度関連情報を受信し、前記映像処理部は、前記輝度関連情報ごとに前記拡大対象輝度レンジを決定し、前記輝度関連情報ごとの拡大対象輝度レンジのうち最大輝度が低い方の拡大対象輝度レンジを当該最大輝度が低い方の拡大対象輝度レンジにおける最大輝度が高くなるように拡大することが望ましい。
この態様によれば、輝度関連情報ごとの拡大対象輝度レンジのうち最大輝度が高い方の拡大対象輝度レンジを、その拡大対象輝度レンジにおける最大輝度が高くなるように拡大する場合に比べて、映像を明るくできかつ映像のコントラストを高くできる。
【００１４】
上述した映像処理装置の一態様において、前記受信部は、複数種類の前記輝度関連情報を受信し、前記映像処理部は、前記輝度関連情報ごとに前記拡大対象輝度レンジを決定し、前記輝度関連情報ごとの拡大対象輝度レンジのうち最大輝度が高い方の拡大対象輝度レンジを当該最大輝度が高い方の拡大対象輝度レンジにおける最大輝度が高くなるように拡大することが望ましい。
この態様によれば、輝度関連情報ごとの拡大対象輝度レンジのうち最大輝度が低い方の拡大対象輝度レンジを、その拡大対象輝度レンジにおける最大輝度が高くなるように拡大する場合に比べて、輝度レンジの拡大に伴う輝度の飽和を抑制可能になる。
【００１５】
上述した映像処理装置の一態様において、前記複数種類の輝度関連情報は、前記映像の最大輝度を示す最大輝度情報と、前記映像を構成する各フレームの平均輝度のうち最大の平均輝度を示す最大平均輝度情報と、であることが望ましい。
この態様によれば、ＨＤＭＩ規格に対応したInfoフレームに記載されている複数種類の輝度関連情報を用いて、拡大対象輝度レンジを決定できる。
また、上述した映像処理装置の一態様において、前記複数種類の輝度関連情報は、前記映像の最大輝度を示す最大輝度情報と、前記映像を構成する各フレームの平均輝度のうち最大の平均輝度を示す最大平均輝度情報と、前記映像の編集時に使用された表示装置の最大輝度を示す編集時最大輝度情報と、であることが望ましい。
この態様によれば、ＨＤＭＩ規格に対応したInfoフレームに記載されている複数種類の輝度関連情報を用いて、拡大対象輝度レンジを決定できる。
【００１６】
上述した映像処理装置の一態様において、前記受信部は、複数種類の前記輝度関連情報を受信可能であり、前記複数種類の輝度関連情報は、前記映像の最大輝度を示す最大輝度情報と、前記映像を構成する各フレームの平均輝度のうち最大の平均輝度を示す最大平均輝度情報と、前記映像の編集時に使用された表示装置の最大輝度を示す編集時最大輝度情報と、を含み、前記映像処理部は、前記受信部が前記最大輝度情報と前記最大平均輝度情報とのうち少なくともいずれか一方を受信した場合には、前記一方に基づいて前記拡大対象輝度レンジを決定し、前記受信部が前記最大輝度情報と前記最大平均輝度情報とのいずれも受信せずに前記編集時最大輝度情報を受信した場合には、前記編集時最大輝度情報に基づいて前記拡大対象輝度レンジを決定することが望ましい。
この態様によれば、拡大対象輝度レンジを決定するために用いる輝度関連情報として、最大輝度情報と最大平均輝度情報とを、編集時最大輝度情報よりも優先できる。
最大輝度情報と最大平均輝度情報とは、映像そのものの輝度に応じて変化するが、編集時最大輝度情報は、映像そのものの輝度に応じて変化せず、映像の輝度が取り得る最大輝度に応じて変化する。このため、この態様によれば、編集時最大輝度情報よりも、映像の輝度レンジを表す可能性が高い輝度関連情報（最大輝度情報と最大平均輝度情報）を用いて、拡大対象輝度レンジを決定することができる。
【００１７】
上述した映像処理装置の一態様において、前記映像処理部は、前記受信部が前記輝度関連情報を受信することなく前記映像情報を受信した場合、前記映像における予め定められた輝度レンジを前記拡大対象輝度レンジとして決定することが望ましい。
この態様によれば、輝度関連情報が受信部にて受信されなかった場合でも、拡大対象輝度レンジを決定できる。
【００１８】
本発明の表示装置の一態様は、上述した映像処理装置と、前記拡大対象輝度レンジが拡大された前記映像情報に応じた映像を表示する表示部と、を含むことを特徴とする。
この態様によれば、拡大対象輝度レンジが拡大されていない映像情報に応じた映像を表示する場合に比べて、明るくコントラストの高い映像を表示できる。
【００１９】
本発明の映像処理方法の一態様は、映像を示す映像情報と、前記映像の輝度に関する輝度関連情報と、を受信し、前記輝度関連情報に基づいて前記映像における拡大対象輝度レンジを決定し、当該拡大対象輝度レンジにおける最大輝度が高くなるように当該拡大対象輝度レンジを拡大する。
この態様によれば、映像の拡大対象輝度レンジにおける最大輝度が高くなるように、拡大対象輝度レンジを拡大するので、映像の輝度レンジを拡大しない場合に比べて、映像が明るくなるように映像の輝度レンジを広げることができる。また、輝度関連情報に基づいて拡大対象輝度レンジを決定するので、輝度関連情報に応じて拡大対象輝度レンジを変更できる。
【図面の簡単な説明】
【００２０】
【図１】本発明を採用した第１実施形態に係る表示装置１を示す図である。
【図２】ルックアップテーブルＬＵＴ１の一例を示した図である。
【図３】各モードでの輝度レンジの拡大の態様を示した図である。
【図４】第１実施形態の動作を説明するためのフローチャートである。
【図５】第２実施形態の表示装置１Ａを示したブロック図である。
【図６】ルックアップテーブルＬＵＴ２の一例を示した図である。
【図７】表示装置１Ａの動作を説明するためのフローチャートである。
【発明を実施するための形態】
【００２１】
以下、図面を参照しながら本発明に係る実施の形態を説明する。なお、図面において各部の寸法および縮尺は実際のものと適宜異なる。また、以下に記載する実施の形態は、本発明の好適な具体例であるから技術的に好ましい種々の限定が付されている。しかしながら、本発明の範囲は、以下の説明において特に本発明を限定する旨の記載がない限り、これらの形態に限られるものではない。
【００２２】
＜第１実施形態＞
図１は、本発明を採用した第１実施形態に係る表示装置１を示す図である。
表示装置１は、ＨＤＲ方式に対応したＨＤＲ表示装置であり、例えば、プロジェクターである。現在、プロジェクターに対する要求としては、映像をできるだけ明るく表示するという要求が存在する。この要求は、プロジェクターに限るものではなく、他の表示装置にも共通する要求でもある。
【００２３】
表示装置１は、映像処理装置１０と表示部２０とを備えている。表示部２０が実行する表示の明るさレンジは、ＨＤＲ方式に対応したＨＤＲ映像情報の取り得る輝度レンジ（０〜１００００nitの輝度レンジ）に対応している。映像処理装置１０は、受信部１１と、解析部１２と、記憶部１３と、映像処理部１４と、を備えている。
【００２４】
受信部１１は、ＨＤＭＩケーブル３０を介してＨＤＭＩ規格に準拠した信号（以下「ＨＤＭＩ信号」と称する）を受信する。
【００２５】
ＨＤＭＩ信号は、映像を示す映像情報を含んでいる。以下、ＨＤＭＩ信号に含まれている映像情報を「第１映像情報」と称し、第１映像情報が示す映像を「第１映像」と称する。
【００２６】
ＨＤＭＩ信号は、さらにInfo Frame（以下「Infoフレーム」とも称する）を含んでいる。Infoフレームには、第１映像の輝度に関する輝度関連情報が記述されている。輝度関連情報の例としては、ＭＣＬＬ（Max Content Light Level）情報と、ＭＦａＬＬ（Max Frame-average Light Level）情報と、ＭａｘＤＭＬ（Max Display Mastering Luminance）情報とが挙げられる。
【００２７】
ＭＣＬＬ情報は、第１映像の最大輝度を示す最大輝度情報である。ＭＦａＬＬ情報は、第１映像を構成する各フレームの平均輝度のうち最大の平均輝度を示す最大平均輝度情報である。ＭａｘＤＭＬ情報は、第１映像の編集時に使用された表示装置の最大輝度を示す編集時最大輝度情報である。
【００２８】
Infoフレームには、さらに、ＥＯＴＦ（Electro Optical Transfer Function）情報が記述されている。ＥＯＴＦ情報は、第１映像がＨＤＲ方式とＳＤＲ（Standard Dynamic Range）方式のいずれに対応しているか示す情報として利用可能である。
【００２９】
受信部１１は、Infoフレームを解析部１２に供給し、第１映像情報を映像処理部１４に供給する。
【００３０】
解析部１２は、Infoフレームを解析してInfoフレームに記述された情報（例えば、輝度関連情報およびＥＯＴＦ情報）を読み取る。解析部１２は、Infoフレームから読み取った情報を映像処理部１４に供給する。
【００３１】
記憶部１３は、種々の情報を記憶している。記憶部１３は、例えば、輝度関連情報と、拡大対象輝度レンジと、拡大後輝度レンジと、の関係を示したルックアップテーブルＬＵＴ１を記憶している。
【００３２】
図２は、ルックアップテーブルＬＵＴ１の一例を示した図である。
拡大対象輝度レンジは、第１映像における輝度のダイナミックレンジ（最小輝度から最大輝度までの範囲）とみなされる範囲である。拡大対象輝度レンジは、輝度関連情報に基づいて決定される。
【００３３】
図２では、輝度関連情報として、ＭＣＬＬ情報とＭＦａＬＬ情報が用いられている。
また、図２では、輝度関連情報と拡大対象輝度レンジと拡大後輝度レンジとは、モードごとに記憶されている。例えば、５００nit以上１０００nit未満のＭＣＬＬ情報は、０nit以上１０００nit以下の拡大対象輝度レンジと、０nit以上１００００nit以下の拡大後輝度レンジとに対応づけられている。また、４００nit以上８００nit未満のＭＦａＬＬ情報は、０nit以上２０００nit以下の拡大対象輝度レンジと、０nit以上１００００nit以下の拡大後輝度レンジとに対応づけられている。
【００３４】
映像処理部１４は、受信部１１から受け取った第１映像情報を、解析部１２から受け取った輝度関連情報に基づいて補正することによって、第２映像情報を生成する。
本実施形態では、映像処理部１４は、ルックアップテーブルＬＵＴ１を参照し、輝度関連情報に基づいて、第１映像における拡大対象輝度レンジを決定する。そして、映像処理部１４は、拡大対象輝度レンジにおける最大輝度が高くなるように拡大対象輝度レンジを拡大後輝度レンジに拡大して、拡大後輝度レンジを有する第２映像情報を生成する。
映像処理部１４は、第２映像情報を表示部２０に供給する。表示部２０は、第２映像情報に応じた映像（以下「第２映像」と称する）を表示する。
【００３５】
ここで、映像処理装置１０が第１映像情報を補正して第２映像情報を生成する技術的な意味を説明する。
表示部２０が実行する表示の明るさレンジは、ＨＤＲ映像情報の取り得る輝度レンジ（０〜１００００nitの輝度レンジ）に対応している。しかしながら、第１映像情報は、必ずしも、１００００nitの輝度を有する映像を示すわけではない。
【００３６】
ここで、第１映像情報が表示部２０に直接入力されるケースを考える。
このケースでは、第１映像情報が１００００nitの輝度を有さない映像を示す場合、表示部２０が出力可能な明るさレンジのうち、最大の明るさは使用されない。さらに言えば、例えば、第１映像情報が、最大輝度が１０００nitである映像（ＵＨＤ−ＢＤ規格に対応する映像）を示す場合、表示部２０が出力可能な明るさレンジのうち、１０００nitよりも高く１００００nit以下の輝度に対応する明るさは使用されない。このため、表示部２０が表示する画像は、暗くコントラストの低い画像となってしまう。
【００３７】
そこで本実施形態では、映像処理部１４は、まず、ルックアップテーブルＬＵＴ１を参照して、輝度関連情報に対応する拡大対象輝度レンジ（第１映像における輝度のダイナミックレンジとみなされる範囲）を決定する。続いて、映像処理部１４は、拡大対象輝度レンジにおける最大輝度が、ＨＤＲ方式に対応したＨＤＲ映像情報の取り得る輝度レンジの最大輝度（１００００nit）になるように、拡大対象輝度レンジを拡大後輝度レンジに拡大して第２映像情報を生成する。そして、映像処理部１４は、第２映像情報を表示部２０に供給する。
【００３８】
このため、表示部２０は、出力可能な明るさレンジのうち最大の明るさを使用して第２映像情報に応じた第２映像を表示する。よって、第２映像は、第１映像よりも明るくなる。この際、第２映像を示すために使用される輝度レンジ（拡大後輝度レンジ）が、第１映像を示すために使用される輝度レンジよりも拡大されるため、第２映像は第１映像よりもコントラストが高くなる。
【００３９】
このように、本実施形態では、第１映像情報が表示部２０に直接入力されるのではなく、映像処理装置１０が、第１映像情報と輝度関連情報とを用いて、第１映像よりも明るくコントラストの高い第２映像を示す第２映像情報を生成し、その第２映像情報を表示部２０に供給する。
【００４０】
図２に示したように、拡大後輝度レンジの最大輝度（１００００nit）は、固定値であり、ＨＤＲ映像情報の取り得る輝度レンジの最大輝度（１００００nit）と等しい。拡大後輝度レンジの最大輝度が、ＨＤＲ映像情報の取り得る輝度レンジの最大輝度と等しい場合、第２映像の中で最も輝度の高い映像部分を、表示部２０の表示の明るさレンジのうち最も明るい部分で表示できる。このため、第２映像を可及的に明るくできる。
なお、拡大後輝度レンジの最大輝度（１００００nit）は、拡大対象輝度レンジにおける最大輝度よりも高い予め定められた目標最大輝度の一例である。なお、目標最大輝度は、１００００nitよりも低くてもよい。
【００４１】
また、映像処理部１４は、輝度関連情報が示す輝度（図２に示したＭＣＬＬ情報およびＭＦａＬＬ情報）が低いほど、拡大対象輝度レンジにおける最大輝度を低くする（図２参照）。以下、この点について説明する。
【００４２】
ＭＣＬＬ情報は、第１映像の輝度のダイナミックレンジにおける最大値を示す。そして、拡大対象輝度レンジは、第１映像の輝度のダイナミックレンジとみなされるレンジである。このため、映像処理部１４は、ＭＣＬＬ情報が示す輝度が低いほど、拡大対象輝度レンジにおける最大輝度を低くすることによって、拡大対象輝度レンジと第１映像の輝度のダイナミックレンジとの一致度を上げることができる。
ここで、拡大対象輝度レンジと第１映像の輝度のダイナミックレンジとの一致度が高いほど、輝度レンジの拡大に伴う第２映像の劣化を抑制しつつ、より明るくコントラストのより高い第２映像を示す第２映像情報を生成することが可能になる。
【００４３】
ＭＦａＬＬ情報は、第１映像を構成する各フレームの平均輝度のうち最大の平均輝度を示す。そして、ＭＦａＬＬ情報が低いほど、第１映像の輝度のダイナミックレンジにおける最大値が小さい確率が高くなると推定される。
このため、映像処理部１４は、ＭＦａＬＬ情報が示す輝度が低いほど、拡大対象輝度レンジにおける最大輝度を低くすることによって、拡大対象輝度レンジと第１映像の輝度のダイナミックレンジとの一致度を上げることが可能になる。よって、上述したように、輝度レンジの拡大に伴う第２映像の劣化を抑制しつつ、より明るくコントラストのより高い第２映像を示す第２映像情報を生成することが可能になる。
【００４４】
映像処理部１４は、６つのモード、具体的にはＨＤＲ０モード〜ＨＤＲ４モードとＳＤＲモードとを有する。ＳＤＲモードは、ＳＤＲ方式に対応するモードである。ＳＤＲモードでの動作は公知であるので詳細な説明は省略する。ＨＤＲ０モード〜ＨＤＲ４モードは、ＨＤＲ方式に対応するモードである。図３は、ＨＤＲ０モード〜ＨＤＲ４モードと、拡大対象輝度レンジと、拡大後輝度レンジと、の関係を示した図である。
【００４５】
図２および図３に示したように、ＨＤＲ０モード〜ＨＤＲ３モードでは、第１映像の輝度レンジを拡大する処理が実行される。
【００４６】
ＨＤＲ０モードは、輝度関連情報（ＭＣＬＬ情報またはＭＦａＬＬ情報）に基づいて拡大対象輝度レンジ（第１映像の輝度のダイナミックレンジとみなされるレンジ）が「０nit以上５００nit以下」であると決定された場合に使用されるモードである。
【００４７】
ＨＤＲ０モードでは、映像処理部１４は、第１映像の拡大対象輝度レンジ「０nit以上５００nit以下」（最大輝度５００nit）を拡大後輝度レンジ「０nit以上１００００nit以下」（目標最大輝度１００００nit）に拡大して第２映像情報を生成する。ＨＤＲ０モードでは、第１映像の拡大対象輝度レンジの最大輝度５００nitが、目標最大輝度１００００nitに変換される。
【００４８】
ＨＤＲ０モードでの拡大対象輝度レンジの拡大の度合いは２０倍である。ＨＤＲ０モードでは、映像処理部１４は、第１映像のうち輝度が拡大対象輝度レンジ「０nit以上５００nit以下」に属する部分については輝度を２０倍に補正するとともに、第１映像のうち輝度が拡大対象輝度レンジ「０nit以上５００nit以下」に属さない部分については輝度を一律に１００００nitに補正することによって、第２映像情報を生成する。
なお、ＨＤＲ０モードにおける第２映像情報の生成手法は、上述した手法に限らず適宜変更可能である。
【００４９】
ＨＤＲ１モードは、輝度関連情報（ＭＣＬＬ情報またはＭＦａＬＬ情報）に基づいて拡大対象輝度レンジ（第１映像の輝度のダイナミックレンジとみなされるレンジ）が「０nit以上１０００nit以下」である場合に使用されるモードである。
【００５０】
ＨＤＲ１モードでは、映像処理部１４は、第１映像の拡大対象輝度レンジ「０nit以上１０００nit以下」（最大輝度１０００nit）を拡大後輝度レンジ「０nit以上１００００nit以下」（目標最大輝度１００００nit）に拡大して第２映像情報を生成する。ＨＤＲ１モードでは、第１映像の拡大対象輝度レンジの最大輝度１０００nitが、目標最大輝度１００００nitに変換される。
【００５１】
ＨＤＲ１モードでの拡大対象輝度レンジの拡大の度合いは１０倍である。ＨＤＲ１モードでは、映像処理部１４は、第１映像のうち輝度が拡大対象輝度レンジ「０nit以上１０００nit以下」に属する部分については輝度を１０倍に補正するとともに、第１映像のうち輝度が拡大対象輝度レンジ「０nit以上１０００nit以下」に属さない部分については輝度を一律に１００００nitに補正することによって、第２映像情報を生成する。
なお、ＨＤＲ１モードにおける第２映像情報の生成手法は、上述した手法に限らず適宜変更可能である。
【００５２】
ＨＤＲ２モードは、輝度関連情報に基づいて拡大対象輝度レンジ（第１映像の輝度のダイナミックレンジとみなされるレンジ）が「０nit以上２０００nit以下」である場合に使用されるモードである。
【００５３】
ＨＤＲ２モードでは、映像処理部１４は、第１映像の拡大対象輝度レンジ「０nit以上２０００nit以下」（最大輝度２０００nit）を拡大後輝度レンジ「０nit以上１００００nit以下」（目標最大輝度１００００nit）に拡大して第２映像情報を生成する。ＨＤＲ２モードでは、第１映像の拡大対象輝度レンジの最大輝度２０００nitが、目標最大輝度１００００nitに変換される。
【００５４】
ＨＤＲ２モードでの拡大対象輝度レンジの拡大の度合いは５倍である。ＨＤＲ２モードでは、映像処理部１４は、第１映像のうち輝度が拡大対象輝度レンジ「０nit以上２０００nit以下」に属する部分については輝度を５倍に補正するとともに、第１映像のうち輝度が拡大対象輝度レンジ「０nit以上２０００nit以下」に属さない部分については輝度を一律に１００００nitに補正することによって、第２映像情報を生成する。
なお、ＨＤＲ２モードにおける第２映像情報の生成手法は、上述した手法に限らず適宜変更可能である。
【００５５】
ＨＤＲ３モードは、輝度関連情報に基づいて拡大対象輝度レンジ（第１映像の輝度のダイナミックレンジとみなされるレンジ）が「０nit以上４０００nit以下」である場合に使用されるモードである。
【００５６】
ＨＤＲ３モードでは、映像処理部１４は、第１映像の拡大対象輝度レンジ「０nit以上４０００nit以下」（最大輝度４０００nit）を拡大後輝度レンジ「０nit以上１００００nit以下」（目標最大輝度１００００nit）に拡大して第２映像情報を生成する。ＨＤＲ３モードでは、第１映像の拡大対象輝度レンジの最大輝度４０００nitが、目標最大輝度１００００nitに変換される。
【００５７】
ＨＤＲ３モードでの拡大対象輝度レンジの拡大の度合いは２．５倍である。ＨＤＲ３モードでは、映像処理部１４は、第１映像のうち輝度が拡大対象輝度レンジ「０nit以上４０００nit以下」に属する部分については輝度を２．５倍に補正するとともに、第１映像のうち輝度が拡大対象輝度レンジ「０nit以上４０００nit以下」に属さない部分については輝度を一律に１００００nitに補正することによって、第２映像情報を生成する。
なお、ＨＤＲ３モードにおける第２映像情報の生成手法は、上述した手法に限らず適宜変更可能である。
【００５８】
ＨＤＲ４モードは、輝度関連情報に基づいて拡大対象輝度レンジ（第１映像の輝度のダイナミックレンジとみなされるレンジ）が「０nit以上１００００nit以下」である場合に使用されるモードである。
【００５９】
ＨＤＲ４モードでは、映像処理部１４は、第１映像の拡大対象輝度レンジ「０nit以上１００００nit以下」（最大輝度１００００nit）を拡大後輝度レンジ「０nit以上１００００nit以下」（目標最大輝度１００００nit）に拡大して第２映像情報を生成する。
【００６０】
ＨＤＲ４モードでの拡大対象輝度レンジの拡大の度合いは１倍である。ＨＤＲ４モードでは、輝度レンジの拡大率が１であるため、第１映像の輝度レンジ「０nit以上１００００nit以下」は、実質的には、拡大対象輝度レンジではなく「維持対象輝度レンジ」として機能する。
【００６１】
なお、ＨＤＲ０モード、ＨＤＲ１モード、ＨＤＲ２モード、ＨＤＲ３モードおよびＨＤＲ４モードの拡大の度合いは、それぞれ、２０倍、１０倍、５倍、２．５倍、１倍に限らず、ＨＤＲ０モード、ＨＤＲ１モード、ＨＤＲ２モード、ＨＤＲ３モード、ＨＤＲ４モードの順に小さくなっていれば適宜変更可能である。
【００６２】
次に、第１実施形態の動作を説明する。
図４は、第１実施形態の動作を説明するためのフローチャートである。
受信部１１は、ＨＤＭＩ信号を受信すると（ステップＳ４０１）、ＨＤＭＩ信号に含まれているInfoフレームを解析部１２に供給し、ＨＤＭＩ信号に含まれている第１映像情報を映像処理部１４に供給する。
【００６３】
解析部１２は、Infoフレームを解析して、Infoフレームに記述されている情報を読み取る。解析部１２は、Infoフレームから読み取った情報を映像処理部１４に供給する。
【００６４】
映像処理部１４は、解析部１２から情報を受け取ると、その情報のうちのＥＯＴＦ情報に基づいて、第１映像がＨＤＲ方式に対応しているかＳＤＲ方式に対応しているかを判断する（ステップＳ４０２）。
【００６５】
第１映像がＨＤＲ方式に対応している場合、映像処理部１４は、ルックアップテーブルＬＵＴ１を参照し、解析部１２から受け取った情報のうちのＭＣＬＬ情報に対応するＨＤＲモードを、第１モード候補として決定する（ステップＳ４０３）。なお、解析部１２から受け取った情報にＭＣＬＬ情報が存在しない場合、映像処理部１４は、ステップＳ４０３を省略する。
【００６６】
続いて、映像処理部１４は、ルックアップテーブルＬＵＴ１を参照し、解析部１２から受け取ったＭＦａＬＬ情報に対応するＨＤＲモードを、第２モード候補として決定する（ステップＳ４０４）。なお、解析部１２から受け取った情報にＭＦａＬＬ情報が存在しない場合、映像処理部１４は、ステップＳ４０４を省略する。
【００６７】
続いて、映像処理部１４は、解析部１２から受け取った情報に、ＭＣＬＬ情報とＭＦａｌｌ情報が共に存在しないか否かを判断する（ステップＳ４０５）。
【００６８】
解析部１２から受け取った情報に、ＭＣＬＬ情報とＭＦａｌｌ情報が共に存在しない場合（ステップＳ４０５でＹｅｓ）、映像処理部１４は、デフォルトのＨＤＲモードを使用モードとして選択する（ステップＳ４０６）。以下では、デフォルトのＨＤＲモードとして、ＨＤＲ２モードが予め定められているとする。なお、デフォルトのＨＤＲモードは、ＨＤＲ２モードに限らず適宜変更可能である。
【００６９】
一方、解析部１２から受け取った情報に、ＭＣＬＬ情報とＭＦａｌｌ情報との両方が存在する場合（ステップＳ４０５でＮｏ）、映像処理部１４は、第１モード候補と第２モード候補とのうち、モード候補に対応する拡大対象輝度レンジの最大輝度が低い方を、使用モードとして選択する（ステップＳ４０７）。
【００７０】
なお、第１モード候補に対応する拡大対象輝度レンジの最大輝度と、第２モード候補に対応する拡大対象輝度レンジの最大輝度が等しい場合、つまり、第１モード候補と第２モード候補が同じＨＤＲモードである場合、映像処理部１４は、その同じＨＤＲモードを使用モードとして選択する。
【００７１】
また、ステップＳ４０５でＮｏとなる状況としては、解析部１２から受け取った情報に、ＭＣＬＬ情報とＭＦａｌｌ情報とのうちいずれか１つのみが存在する場合も考えられる。この場合、ステップＳ４０３とステップＳ４０４とのうちいずれか一方が実行されているので、第１モード候補と第２モード候補とのいずれか一方が決定されている。このため、映像処理部１４は、第１モード候補と第２モード候補のうち決定されている方を使用モードとして選択する。
【００７２】
また、ステップＳ４０２で第１映像がＳＤＲ方式に対応している場合、映像処理部１４は、ＳＤＲモードを使用モードとして選択する（ステップＳ４０８）。
【００７３】
映像処理部１４は、使用モードを選択すると（ステップＳ４０６、Ｓ４０７またはＳ４０８）、使用モードで第２映像情報を生成する（ステップＳ４０９）。ＨＤＲ０モード〜ＨＤＲ４モードの各々における第２映像情報の生成手法は、上述した通りである。また、ＳＤＲモードでの第２映像情報の生成手法は公知技術であるので説明を省略する。
【００７４】
続いて、映像処理部１４は、第２映像情報を表示部２０に供給する。表示部２０は、第２映像情報に基づいて第２映像を表示する（ステップＳ４１０）。
【００７５】
本実施形態によれば、映像処理部１４は、第１映像の拡大対象輝度レンジにおける最大輝度が高くなるように、第１映像の拡大対象輝度レンジを拡大して、第２映像を示す第２映像情報を生成する。このため、第２映像を第１映像よりも明るくかつ高いコントラストにできる。
【００７６】
また、映像処理部１４は、ＭＣＬＬ情報とＭＦａＬＬ情報との各々についてモード候補を選択する。ここで、モード候補として用いられるＨＤＲモードでは、ＨＤＲモードごとに拡大対象輝度レンジが決まっている。このため、ＭＣＬＬ情報とＭＦａＬＬ情報との各々についてモード候補を選択することは、輝度関連情報ごとに拡大対象輝度レンジを決定することを意味する。
【００７７】
そして、映像処理部１４は、第１モード候補と第２モード候補とのうち、対応する拡大対象輝度レンジの最大輝度が低い方を使用モードとして選択し、その使用モードで第２映像情報を生成する。この処理は、映像処理部１４が、輝度関連情報ごとの拡大対象輝度レンジのうち最大輝度が低い方の拡大対象輝度レンジを、最大輝度が低い方の拡大対象輝度レンジにおける最大輝度が高くなるように拡大して第２映像情報を生成することを意味する。
【００７８】
この処理によれば、最大輝度が高い方の拡大対象輝度レンジを拡大して第２映像情報を生成する場合に比べて、第２映像を明るくでき、かつ、第２映像のコントラストを高くできる。
【００７９】
また、映像処理部１４は、受信部１１が輝度関連情報を受信することなく第１映像情報を受信した場合、つまり、図４に示したステップＳ４０５でＹｅｓの場合、デフォルトのＨＤＲモードを使用モードとして選択し、その使用モードで第２映像情報を生成する。
このため、輝度関連情報が受信部１１にて受信されなかった場合でも、拡大対象輝度レンジを決定でき、輝度レンジを拡大可能となる。
【００８０】
＜第２実施形態＞
第１実施形態では、輝度関連情報としてＭＣＬＬ情報とＭＦａＬＬ情報が用いられた。
第２実施形態では、輝度関連情報として、さらに、ＭａｘＤＭＬ情報が用いられる。ＭａｘＤＭＬ情報は、InfoフレームにＭＣＬＬ情報とＭＦａＬＬ情報の両方が記載されていないときに、使用モードを選択するために使用される。
【００８１】
図５は、本発明を採用した第２実施形態に係る表示装置１Ａを示す図である。図５において、図１に示したものと同一構成のものには同一符号を付してある。
第２実施形態に係る表示装置１Ａは、映像処理装置１０の代わりに映像処理装置１０Ａを備える点で、第１実施形態に係る表示装置１と異なる。以下、第２実施形態に係る表示装置１Ａについて、第１実施形態に係る表示装置１と異なる点をメインに説明する。
【００８２】
映像処理装置１０Ａは、記憶部１３の代わりに記憶部１３Ａを備え、映像処理部１４の代わりに映像処理部１４Ａを備える点において、図１に示した映像処理装置１０と異なる。
【００８３】
記憶部１３Ａは、図２に示したルックアップテーブルＬＵＴ１に加えて、図６に示したルックアップテーブルＬＵＴ２を記憶している。ルックアップテーブルＬＵＴ２では、輝度関連情報であるＭａｘＤＭＬ情報と、第１映像における拡大対象輝度レンジと、拡大後輝度レンジとが、ＨＤＲモード（ＨＤＲ０モード〜ＨＤＲ４モード）ごとに対応づけられている。例えば、２０００nit以上４０００nit未満のＭａｘＤＭＬ情報は、０nit以上４０００nit以下の拡大対象輝度レンジと、０nit以上１００００nit以下の拡大後輝度レンジとに対応づけられている。
【００８４】
映像処理部１４Ａは、受信部１１がＭＣＬＬ情報とＭＦａＬＬ情報との少なくとも一方を受信したときには、ルックアップテーブルＬＵＴ１を参照して、その一方に基づいて拡大対象輝度レンジを決定する。この決定手法は、第１実施形態で説明した手法と同様である。
また、受信部１１がＭＣＬＬ情報とＭＦａＬＬ情報とのいずれも受信せずにＭａｘＤＭＬ情報を受信した場合には、映像処理部１４Ａは、ルックアップテーブルＬＵＴ２を参照して、ＭａｘＤＭＬ情報に対応する拡大対象輝度レンジを決定する。
【００８５】
次に、第２実施形態の動作を説明する。
図７は、第２実施形態の動作を説明するためのフローチャートである。なお、図７において、図４に示した処理と同様の処理については同一符号を付してある。以下、第２実施形態の動作について、図４に示した処理と異なる処理を中心に説明する。
【００８６】
映像処理部１４Ａは、ステップＳ４０５でＹｅｓである場合、つまり、解析部１２から受け取った情報にＭＣＬＬ情報とＭＦａｌｌ情報が共に存在しない場合、解析部１２から受け取った情報に、ＭａｘＤＭＬ情報が存在しないか否かを判断する（ステップＳ７０１）。
【００８７】
解析部１２から受け取った情報にＭａｘＤＭＬ情報が存在しない場合（ステップＳ７０１でＹｅｓ）、映像処理部１４Ａは、ステップＳ４０６を実行する。
【００８８】
一方、解析部１２から受け取った情報にＭａｘＤＭＬ情報が存在する場合（ステップＳ７０１でＮｏ）、映像処理部１４Ａは、ルックアップテーブルＬＵＴ２を参照して、ＭａｘＤＭＬ情報に対応するＨＤＲモードを使用モードとして決定する（ステップＳ７０２）。
ここで、ＨＤＲモードが決定すると、そのＨＤＲモードで使用される拡大対象輝度レンジが一意に決定される。このため、ＭａｘＤＭＬ情報に対応するＨＤＲモードを使用モードとして決定することは、ＭａｘＤＭＬ情報に基づいて拡大対象輝度レンジを決定することを意味する。
映像処理部１４Ａは、使用モードを決定すると、ステップＳ４０９を実行する。
【００８９】
本実施形態によれば、拡大対象輝度レンジを決定するために用いる輝度関連情報として、ＭＣＬＬ情報とＭＦａＬＬ情報とを、ＭａｘＤＭＬ情報よりも優先できる。
ＭＣＬＬ情報とＭＦａＬＬ情報とは、第１映像そのものの輝度に応じて変化するが、ＭａｘＤＭＬ情報は、第１映像そのものの輝度に応じて変化せず、第１映像の輝度が取り得る最大輝度に応じて変化する。
【００９０】
このため、本実施形態では、ＭａｘＤＭＬ情報よりも、第１映像の輝度レンジを表す可能性が高いＭＣＬＬ情報またはＭＦａＬＬ情報を用いて、拡大対象輝度レンジを決定することになる。よって、拡大対象輝度レンジと第１映像の輝度のダイナミックレンジとの一致度を上げることができる。
拡大対象輝度レンジと第１映像の輝度のダイナミックレンジとの一致度が高いほど、輝度レンジの拡大に伴う第２映像の劣化を抑制しつつ、より明るくコントラストのより高い第２映像を示す第２映像情報を生成することが可能になる。
【００９１】
＜変形例＞
以上の各実施態様は多様に変形され得る。具体的な変形の態様を以下に例示する。以下の例示から任意に選択された２以上の態様は相矛盾しない限り適宜に併合され得る。
【００９２】
＜変形例１＞
第１実施形態では、映像処理部１４は、ＭＣＬＬ情報に基づいて決定した拡大対象輝度レンジ（以下「第１候補」と称する）と、ＭＦａＬＬ情報に基づいて決定した拡大対象輝度レンジ（以下「第２候補」と称する）と、のうち、最大輝度が低い方を、拡大対象輝度レンジとして選択した。
映像処理部１４は、第１候補と、第２候補と、ＭａｘＤＭＬ情報に基づいて決定した拡大対象輝度レンジ（以下「第３候補」と称する）と、のうち、最大輝度が低い方を、拡大対象輝度レンジとして選択してもよい。なお、第３候補の決定手法としては、第２実施形態で説明した決定手法が用いられる。
【００９３】
＜変形例２＞
第２実施形態では、映像処理部１４Ａは、ＭＣＬＬ情報とＭＦａＬＬ情報の２つの情報がない場合に、ＭａｘＤＭＬ情報に基づいて使用モードを決定した。
これとは逆に、映像処理部１４Ａは、ＭａｘＤＭＬ情報を、ＭＣＬＬ情報およびＭＦａＬＬ情報よりも優先させ、ＭａｘＤＭＬ情報がない場合にＭＣＬＬ情報またはＭＦａＬＬ情報に基づいて使用モードを決定してもよい。
【００９４】
＜変形例３＞
モードの数は５に限らず適宜変更可能である。各ルックアップテーブルＬＵＴ１〜ＬＵＴ２に示された数値は適宜変更可能である。
【００９５】
＜変形例４＞
各実施形態では、拡大対象輝度レンジが、輝度関連情報に基づいて段階的に変更されたが、拡大対象輝度レンジは、輝度関連情報に基づいてリニアに変更されてもよい。
【００９６】
＜変形例５＞
ステップＳ４０７において、映像処理部１４および１４Ａの少なくとも一方は、第１モード候補と第２モード候補のうち、モード候補に対応する拡大対象輝度レンジの最大輝度の低い方ではなく高い方を、使用モードとして選択してもよい。
この処理は、映像処理部１４および１４Ａの少なくとも一方が、輝度関連情報ごとの拡大対象輝度レンジのうち最大輝度が高い方の拡大対象輝度レンジを、最大輝度が高い方の拡大対象輝度レンジにおける最大輝度が高くなるように拡大して第２映像情報を生成することを意味する。
この場合、最大輝度が低い方の拡大対象輝度レンジを拡大して第２映像情報を生成する場合に比べて、輝度レンジの拡大に伴う輝度の飽和を抑制可能になる。
【００９７】
＜変形例６＞
ステップＳ４０３とステップＳ４０４の処理の順番が入れ替わってもよい。
【００９８】
＜変形例７＞
ステップＳ４０５が、ステップＳ４０３よりも前に実行されてもよい。この場合、ステップＳ４０５でＮｏの場合にはステップＳ４０３が実行され、ステップＳ４０４の後にステップＳ４０７が実行される。
【００９９】
＜変形例８＞
各実施形態では、第１映像データと輝度関連情報とを含む信号としてＨＤＭＩ信号が用いられたが、第１映像データと輝度関連情報とを含む信号は、ＨＤＭＩ信号に限らず適宜変更可能である。
【０１００】
＜変形例９＞
映像処理装置１０および１０Ａのうち少なくともいずれか一方は、表示部２０と一体ではなく別構成でもよい。
【０１０１】
＜変形例１０＞
表示装置１および１Ａのうち少なくとも一方は、プロジェクターに限らず適宜変更可能である。例えば、表示装置１は、液晶表示装置（ＬＣＤ）でもよい。この場合、表示部２０は、表示画面を有し、その表示画面に映像を表示する。
【０１０２】
＜変形例１１＞
映像処理部１４および１４Ａと解析部１２の全部または一部は、専用の電子回路によって実現されてもよいし、ＣＰＵ等のコンピュータが、コンピュータ読み取り可能な記録媒体からプログラムを読み取り実行することによって実現されてもよい。
【符号の説明】
【０１０３】
１，１Ａ…表示装置、１０，１０Ａ…映像処理装置、１１…受信部、１２…解析部、１３，１３Ａ…記憶部、１４，１４Ａ…映像処理部、２０…表示部、ＬＵＴ１〜ＬＵＴ２…ルックアップテーブル。
【図１】
0006729055.tif 000002
【図２】
0006729055.tif 000003
【図３】
0006729055.tif 000004
【図４】
0006729055.tif 000005
【図５】
0006729055.tif 000006
【図６】
0006729055.tif 000007
【図７】
0006729055.tif 000008